(57)【要約】【課題】本発明はインフルエンザの室内予防システムを開示した。【解決手段】本発明はインフルエンザの室内予防システムを開示し、外殻を含み、前記外殻の中には蒸気溝が形成され、前記蒸気溝の中には室内消毒機構が設置され、前記室内消毒機構は前記外殻の上端面に装着された円形ノズルを含み、前記蒸気溝の下端壁には電熱ブロックが固定的に装着され、本装置は簡単に移動でき、必要な時に室内に定量に酢消毒を行え、室内のウイルスの活性を消し、室内でインフルエンザを感染する確率を下げ、また、利用者は必要な時に手部に消毒を行え、ウイルスと接触することによって人体を侵害することを避け、さらに、酢の蒸発消毒作業において、自動的に酢の濃度を調整でき、人為的に調整する必要はなく、簡単に操作でき、酢を使い切った時に、自動的に提示することもできる。【選択図】図１
2020195756.tif 000002
【特許請求の範囲】
【請求項１】
正面視で、外殻を含み、前記外殻の中には蒸気溝が形成され、前記蒸気溝の中には室内消毒機構が設置され、前記室内消毒機構は前記外殻の上端面に装着された円形ノズルを含み、前記蒸気溝の下端壁には電熱ブロックが固定的に装着され、前記電熱ブロックが作動することで前記蒸気溝の中に希釈された酢を蒸発させることができ、生み出した蒸気は前記円形ノズルによって均一に外部空間に揮発することができ、それにより、室内消毒の機能を果たし、前記蒸気溝の中には上下スライド可能な第一浮球が設置され、前記蒸気溝の中に水を入れる時に、前記第一浮球は浮力によって浮き上がり、前記蒸気溝の中の水が一定量に達した時に、前記電熱ブロックを作動させることができ、前記蒸気溝の中の水が蒸発して一定量まで減少した時に、前記電熱ブロックを止めることができ、前記蒸気溝の下端壁の中には作業溝が形成され、前記作業溝の左端壁の中には第一指示灯が嵌め込んでおり、前記蒸気溝の中の水が指定量に達した時に、前記第一指示灯は通電され、発光することで提示を行い、
前記作業溝の上端壁の中には前記蒸気溝の中に定量の酢を入れられる酢入れ機構が設置され、前記酢入れ機構は前記作業溝の上端壁の中にスライド可能に形成された酢溝を含み、前記酢溝の下端壁には電磁石が嵌め込んでおり、前記酢溝の中には鉄塊がスライド可能に設置され、前記蒸気溝の中の水が一定量に達した時に、前記電磁石は通電され、磁力を生み出して前記鉄塊を吸引し、それにより、前記酢溝の中の酢を前記蒸気溝の中に送ることができ、
前記作業溝の下端壁には外部空間を連通した出口が設置され、前記作業溝の中には前記酢入れ機構の中の酢で手洗いを行える手部消毒機構が設置され、前記手部消毒機構は前後回転可能な押し板を含み、前記押し板の左側には前記作業溝の後端壁に装着された小型ノズルが設置され、前記押し板を後方へ推すことで、酢を前記小型ノズルから出して、利用者の手部に消毒を行うことができることを特徴とするインフルエンザの室内予防システム。
【請求項２】
前記室内消毒機構は前記作業溝の後端壁と固定的に連結された電源も含み、前記電源の上端面には圧力ばねが左右対称に、且つ固定的に設置され、二つの前記圧迫ばねの上側には薄板が一つ固定的に設置され、前記薄板の上端面には圧力棒が固定的に設置され、前記薄板の下端面には第一プラグと、第二プラグと、第三プラグとが固定的に設置され、前記第二プラグは前記第一プラグの右側に位置し、前記第三プラグは前記第二プラグの右側に位置し、前記第一プラグと前記第一指示灯とは第一電線によって連結され、前記第二プラグと前記電熱ブロックとは第二電線によって連結され、前記第三プラグと前記電磁石とは第三電線によって連結され、前記作業溝の後端壁の中には第一捻りばねによって回転軸が回転可能に設置され、前記回転軸にはリールと円形ブロックとが固定的に設置され、
前記円形ブロックは前記リールの前側に位置し、前記リールには第一浮球と連結されたロープが巻装され、前記円形ブロックの中には回転溝と弧状溝が形成され、前記圧力棒の上端は前記回転溝の中にあり、前記弧状溝の下端壁には弧状ばねが固定的に設置され、前記弧状ばねの上端には前記弧状溝とスライド可能に連結された弧状ブロックが固定的に設置され、前記弧状ブロックの左端は前記弧状溝を貫通しており、且つ前記回転溝の中にあり、前記弧状ブロックの上端面には阻みブロックが固定的に設置され、前記蒸気溝と前記円形ノズルとは排気溝によって連通され、前記蒸気溝と外部空間とは加水溝によって連通され、前記加水溝の中には第一スイッチが設置され、前記蒸気溝の左端壁には昇降溝が形成され、前記昇降溝の中には昇降ブロックがスライド可能に設置され、前記昇降ブロックの右端面には昇降棒が固定的に設置され、前記昇降棒の右端と前記第一浮球とは固定的に連結されていることを特徴とする請求項１に記載のインフルエンザの室内予防システム。
【請求項３】
前記酢入れ機構は前記鉄塊の右端面と固定的に連結された横向きばねも含み、前記横向きばねの右端と前記酢溝の右端壁とは固定的に連結され、前記酢溝の左側は狭溝によって蒸気溝と連通され、前記狭溝の中には逆止弁が設置されていることを特徴とする請求項１に記載のインフルエンザの室内予防システム。
【請求項４】
前記手部消毒機構は前記作業溝の後端壁と固定的に連結された支持ブロックを含み、前記支持ブロックの中には第三電線によって伝動軸が回転可能に設置され、前記伝動軸には下端が外部空間に位置する前記押し板が固定的に設置され、前記伝動軸の右端には伝動歯車が固定的に設置され、前記作業溝の上端壁の右側には貯蔵ブロックが固定的に設置され、前記貯蔵ブロックの中には鉛直溝が形成され、前記鉛直溝と前記小型ノズルとは排酢管によって連通され、前記排酢管の中には圧力弁が設置され、前記鉛直溝の上端壁には鉛直ばねが固定的に設置され、前記鉛直ばねの下端には前記鉛直溝とスライド可能に連結された昇降板が固定的に設置され、前記昇降板の中には前記昇降板の上下端面を貫通した小孔が設置され、前記鉛直溝の下端壁の右側には底部棒が固定的に設置され、前記昇降板の下端面には下端が前記作業溝の中に位置する鉛直棒が固定的に設置され、前記鉛直棒の下端には前記伝動歯車と噛み合ったラックが固定的に設置されていることを特徴とする請求項１に記載のインフルエンザの室内予防システム。
【請求項５】
前記手部消毒機構の上側には警報機構が設置され、前記警報機構は前記作業溝の後端壁に位置する移動溝を含み、前記移動溝の中には前端が前記作業溝の中に位置する移動棒がスライド可能に設置され、前記移動棒の左端には第四プラグが固定的に設置され、前記作業溝の右端壁の中には第二指示灯が嵌め込んでおり、前記第四プラグと前記第二指示灯とは第四電線によって連結され、前記移動棒の右端には傾斜棒が回転可能に設置され、前記酢溝の上端壁の中には貯蔵溝が設置され、前記鉄塊と前記貯蔵溝とは排酢口によって連通され、前記貯蔵溝の上端壁は酢入れ口によって外部空間と連通され、前記酢入れ口の中には第二スイッチが設置され、前記貯蔵溝の中には第二浮球が浮いており、前記第二浮球の下端面には下端が前記作業溝の中に位置する長棒が固定的に設置され、前記長棒と前記傾斜棒とは回転可能に連結され、前記貯蔵溝と前記鉛直溝とは傾斜溝によって連通されていることを特徴とする請求項１に記載のインフルエンザの室内予防システム。
【請求項６】
前記第一捻りばねは圧縮状態にあり、前記第三電線は正常状態にあり、前記圧力ばねは正常状態にあることを特徴とする請求項１又は請求項２に記載のインフルエンザの室内予防システム。
【請求項７】
前記貯蔵溝の中には酢があり、前記蒸気溝の中には水がないことを特徴とする請求項１又は請求項５に記載のインフルエンザの室内予防システム。
【請求項８】
前記電磁石が通電された後に、磁力を生み出して前記鉄塊を吸引することを特徴とする請求項１又は請求項２に記載のインフルエンザの室内予防システム。
【発明の詳細な説明】
【技術分野】
【０００１】
本発明はウイルス予防対策分野を取り上げ、具体的にはインフルエンザの室内予防システムである。
【背景技術】
【０００２】
インフルエンザはウイルスを病原体とする風邪であり、主に空気や手の接触によって伝播する。インフルエンザ予防対策として、酢を蒸発させることは有効的であるが、操作が面倒で、手動で酢の濃度を調節しなくてはならなく、時間がかかる。また、この方法は室内の空気のみに効き、手の接触によるウイルス伝播は防止できない。
【先行技術文献】
【特許文献】
【０００３】
【特許文献１】中国特許出願公開第１０５５７１０３７号明細書
【発明の概要】
【発明が解決しようとする課題】
【０００４】
本発明はインフルエンザの室内予防システムを提供し、上記の欠点を解消することを目的とする。
【課題を解決するための手段】
【０００５】
本発明は以下の技術プランで実現する：本発明のインフルエンザの室内予防システムは、外殻を含み、前記外殻の中には蒸気溝が形成され、前記蒸気溝の中には室内消毒機構が設置され、前記室内消毒機構は前記外殻の上端面に装着された円形ノズルを含み、前記蒸気溝の下端壁には電熱ブロックが固定的に装着され、前記電熱ブロックが作動することで前記蒸気溝の中に希釈された酢を蒸発させることができ、生み出した蒸気は前記円形ノズルによって均一に外部空間に揮発することができ、それにより、室内消毒の機能を果たし、前記蒸気溝の中には上下スライド可能な第一浮球が設置され、前記蒸気溝の中に水を入れる時に、前記第一浮球は浮力によって浮き上がり、前記蒸気溝の中の水が一定量に達した時に、前記電熱ブロックを作動させることができ、前記蒸気溝の中の水が蒸発して一定量まで減少した時に、前記電熱ブロックを止めることができ、前記蒸気溝の下端壁の中には作業溝が形成され、前記作業溝の左端壁の中には第一指示灯が嵌め込んでおり、前記蒸気溝の中の水が指定量に達した時に、前記第一指示灯は通電され、発光することで提示を行い、
前記作業溝の上端壁の中には前記蒸気溝の中に定量の酢を入れられる酢入れ機構が設置され、前記酢入れ機構は前記作業溝の上端壁の中にスライド可能に形成された酢溝を含み、前記酢溝の下端壁には電磁石が嵌め込んでおり、前記酢溝の中には鉄塊がスライド可能に設置され、前記蒸気溝の中の水が一定量に達した時に、前記電磁石は通電され、磁力を生み出して前記鉄塊を吸引し、それにより、前記酢溝の中の酢を前記蒸気溝の中に送ることができ、
前記作業溝の下端壁には外部空間を連通した出口が設置され、前記作業溝の中には前記酢入れ機構の中の酢で手洗いを行える手部消毒機構が設置され、前記手部消毒機構は前後回転可能な押し板を含み、前記押し板の左側には前記作業溝の後端壁に装着された小型ノズルが設置され、前記押し板を後方へ推すことで、酢を前記小型ノズルから出して、利用者の手部に消毒を行うことができる。
【０００６】
好ましくは、前記室内消毒機構は前記作業溝の後端壁と固定的に連結された電源も含み、前記電源の上端面には圧力ばねが左右対称に、且つ固定的に設置され、二つの前記圧迫ばねの上側には薄板が一つ固定的に設置され、前記薄板の上端面には圧力棒が固定的に設置され、前記薄板の下端面には第一プラグと、第二プラグと、第三プラグとが固定的に設置され、前記第二プラグは前記第一プラグの右側に位置し、前記第三プラグは前記第二プラグの右側に位置し、前記第一プラグと前記第一指示灯とは第一電線によって連結され、前記第二プラグと前記電熱ブロックとは第二電線によって連結され、前記第三プラグと前記電磁石とは第三電線によって連結され、前記作業溝の後端壁の中には第一捻りばねによって回転軸が回転可能に設置され、前記回転軸にはリールと円形ブロックとが固定的に設置され、
前記円形ブロックは前記リールの前側に位置し、前記リールには第一浮球と連結されたロープが巻装され、前記円形ブロックの中には回転溝と弧状溝が形成され、前記圧力棒の上端は前記回転溝の中にあり、前記弧状溝の下端壁には弧状ばねが固定的に設置され、前記弧状ばねの上端には前記弧状溝とスライド可能に連結された弧状ブロックが固定的に設置され、前記弧状ブロックの左端は前記弧状溝を貫通しており、且つ前記回転溝の中にあり、前記弧状ブロックの上端面には阻みブロックが固定的に設置され、前記蒸気溝と前記円形ノズルとは排気溝によって連通され、前記蒸気溝と外部空間とは加水溝によって連通され、前記加水溝の中には第一スイッチが設置され、前記蒸気溝の左端壁には昇降溝が形成され、前記昇降溝の中には昇降ブロックがスライド可能に設置され、前記昇降ブロックの右端面には昇降棒が固定的に設置され、前記昇降棒の右端と前記第一浮球とは固定的に連結されている。
【０００７】
好ましくは、前記酢入れ機構は前記鉄塊の右端面と固定的に連結された横向きばねも含み、前記横向きばねの右端と前記酢溝の右端壁とは固定的に連結され、前記酢溝の左側は狭溝によって蒸気溝と連通され、前記狭溝の中には逆止弁が設置されている。
【０００８】
好ましくは、前記手部消毒機構は前記作業溝の後端壁と固定的に連結された支持ブロックを含み、前記支持ブロックの中には第三電線によって伝動軸が回転可能に設置され、前記伝動軸には下端が外部空間に位置する前記押し板が固定的に設置され、前記伝動軸の右端には伝動歯車が固定的に設置され、前記作業溝の上端壁の右側には貯蔵ブロックが固定的に設置され、前記貯蔵ブロックの中には鉛直溝が形成され、前記鉛直溝と前記小型ノズルとは排酢管によって連通され、前記排酢管の中には圧力弁が設置され、前記鉛直溝の上端壁には鉛直ばねが固定的に設置され、前記鉛直ばねの下端には前記鉛直溝とスライド可能に連結された昇降板が固定的に設置され、前記昇降板の中には前記昇降板の上下端面を貫通した小孔が設置され、前記鉛直溝の下端壁の右側には底部棒が固定的に設置され、前記昇降板の下端面には下端が前記作業溝の中に位置する鉛直棒が固定的に設置され、前記鉛直棒の下端には前記伝動歯車と噛み合ったラックが固定的に設置されている。
【０００９】
好ましくは、前記手部消毒機構の上側には警報機構が設置され、前記警報機構は前記作業溝の後端壁に位置する移動溝を含み、前記移動溝の中には前端が前記作業溝の中に位置する移動棒がスライド可能に設置され、前記移動棒の左端には第四プラグが固定的に設置され、前記作業溝の右端壁の中には第二指示灯が嵌め込んでおり、前記第四プラグと前記第二指示灯とは第四電線によって連結され、前記移動棒の右端には傾斜棒が回転可能に設置され、前記酢溝の上端壁の中には貯蔵溝が設置され、前記鉄塊と前記貯蔵溝とは排酢口によって連通され、前記貯蔵溝の上端壁は酢入れ口によって外部空間と連通され、前記酢入れ口の中には第二スイッチが設置され、前記貯蔵溝の中には第二浮球が浮いており、前記第二浮球の下端面には下端が前記作業溝の中に位置する長棒が固定的に設置され、前記長棒と前記傾斜棒とは回転可能に連結され、前記貯蔵溝と前記鉛直溝とは傾斜溝によって連通されている。
【００１０】
好ましくは、前記第一捻りばねは圧縮状態にあり、前記第三電線は正常状態にあり、前記圧力ばねは正常状態にある。
【００１１】
好ましくは、前記貯蔵溝の中には酢があり、前記蒸気溝の中には水がない。
【００１２】
好ましくは、前記電磁石が通電された後に、磁力を生み出して前記鉄塊を吸引する。
【発明の効果】
【００１３】
本発明は以下のプラン効果を有する：本装置は簡単に移動でき、必要な時に室内に定量に酢消毒を行え、室内のウイルスの活性を消し、室内でインフルエンザを感染する確率を下げ、また、利用者は必要な時に手部に消毒を行え、ウイルスと接触することによって人体を侵害することを避け、さらに、酢の蒸発消毒作業において、自動的に酢の濃度を調整でき、人為的に調整する必要はなく、簡単に操作でき、酢を使い切った時に、自動的に提示することもできる。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明であるインフルエンザの室内予防システムの全体断面の正面構成略図
【図２】図２は図１におけるＡの拡大略図
【図３】図３は図１におけるＤの拡大略図
【図４】図４は図１におけるＣ―Ｃ方向からの略図
【図５】図５は図２におけるＢ―Ｂ方向からの略図
【発明を実施するための形態】
【００１６】
附図１〜５を合わせて、本発明のインフルエンザの室内予防システムは、外殻１０を含み、前記外殻１０の中には蒸気溝２９が形成され、前記蒸気溝２９の中には室内消毒機構８０が設置され、前記室内消毒機構８０は前記外殻１０の上端面に装着された円形ノズル３１を含み、前記蒸気溝２９の下端壁には電熱ブロック２１が固定的に装着され、前記電熱ブロック２１が作動することで前記蒸気溝２９の中に希釈された酢を蒸発させることができ、生み出した蒸気は前記円形ノズル３１によって均一に外部空間に揮発することができ、それにより、室内消毒の機能を果たし、前記蒸気溝２９の中には上下スライド可能な第一浮球２８が設置され、前記蒸気溝２９の中に水を入れる時に、前記第一浮球２８は浮力によって浮き上がり、前記蒸気溝２９の中の水が一定量に達した時に、前記電熱ブロック２１を作動させることができ、前記蒸気溝２９の中の水が蒸発して一定量まで減少した時に、前記電熱ブロック２１を止めることができ、前記蒸気溝２９の下端壁の中には作業溝１２が形成され、前記作業溝１２の左端壁の中には第一指示灯１８が嵌め込んでおり、前記蒸気溝２９の中の水が指定量に達した時に、前記第一指示灯１８は通電され、発光することで提示を行い、
前記作業溝１２の上端壁の中には前記蒸気溝２９の中に定量の酢を入れられる酢入れ機構８２が設置され、前記酢入れ機構８２は前記作業溝１２の上端壁の中にスライド可能に形成された酢溝４１を含み、前記酢溝４１の下端壁には電磁石４５が嵌め込んでおり、前記酢溝４１の中には鉄塊４２がスライド可能に設置され、前記蒸気溝２９の中の水が一定量に達した時に、前記電磁石４５は通電され、磁力を生み出して前記鉄塊４２を吸引し、それにより、前記酢溝４１の中の酢を前記蒸気溝２９の中に送ることができ、
前記作業溝１２の下端壁には外部空間を連通した出口５８が設置され、前記作業溝１２の中には前記酢入れ機構８２の中の酢で手洗いを行える手部消毒機構８１が設置され、前記手部消毒機構８１は前後回転可能な押し板５５を含み、前記押し板５５の左側には前記作業溝１２の後端壁に装着された小型ノズル５６が設置され、前記押し板５５を後方へ推すことで、酢を前記小型ノズル５６から出して、利用者の手部に消毒を行うことができる。
【００１７】
下記に、前記室内消毒機構８０を詳しく説明し、前記室内消毒機構８０は前記作業溝１２の後端壁と固定的に連結された電源１４も含み、前記電源１４の上端面には圧力ばね１１が左右対称に、且つ固定的に設置され、二つの前記圧迫ばね１１の上側には薄板１９が一つ固定的に設置され、前記薄板１９の上端面には圧力棒６０が固定的に設置され、前記薄板１９の下端面には第一プラグ１６と、第二プラグ１５と、第三プラグ１３とが固定的に設置され、前記第二プラグ１５は前記第一プラグ１６の右側に位置し、前記第三プラグ１３は前記第二プラグ１５の右側に位置し、前記第一プラグ１６と前記第一指示灯１８とは第一電線１７によって連結され、前記第二プラグ１５と前記電熱ブロック２１とは第二電線２０によって連結され、前記第三プラグ１３と前記電磁石４５とは第三電線７８によって連結され、前記作業溝１２の後端壁の中には第一捻りばね７６によって回転軸７５が回転可能に設置され、前記回転軸７５にはリール６１と円形ブロック７７とが固定的に設置され、前記円形ブロック７７は前記リール６１の前側に位置し、前記リール６１には第一浮球２８と連結されたロープ２２が巻装され、前記円形ブロック７７の中には回転溝６２と弧状溝６５が形成され、前記圧力棒６０の上端は前記回転溝６２の中にあり、前記弧状溝６５の下端壁には弧状ばね６６が固定的に設置され、前記弧状ばね６６の上端には前記弧状溝６５とスライド可能に連結された弧状ブロック６４が固定的に設置され、前記弧状ブロック６４の左端は前記弧状溝６５を貫通しており、且つ前記回転溝６２の中にあり、前記弧状ブロック６４の上端面には阻みブロック６３が固定的に設置され、前記蒸気溝２９と前記円形ノズル３１とは排気溝３０によって連通され、前記蒸気溝２９と外部空間とは加水溝２７によって連通され、前記加水溝２７の中には第一スイッチ２６が設置され、前記蒸気溝２９の左端壁には昇降溝２５が形成され、前記昇降溝２５の中には昇降ブロック２４がスライド可能に設置され、前記昇降ブロック２４の右端面には昇降棒２３が固定的に設置され、前記昇降棒２３の右端と前記第一浮球２８とは固定的に連結されている。
【００１８】
下記に、前記酢入れ機構８２を詳しく説明し、前記酢入れ機構８２は前記鉄塊４２の右端面と固定的に連結された横向きばね４３も含み、前記横向きばね４３の右端と前記酢溝４１の右端壁とは固定的に連結され、前記酢溝４１の左側は狭溝３３によって蒸気溝２９と連通され、前記狭溝３３の中には逆止弁３２が設置されている。
【００１９】
下記に、前記手部消毒機構８１を詳しく説明し、前記手部消毒機構８１は前記作業溝１２の後端壁と固定的に連結された支持ブロック５７を含み、前記支持ブロック５７の中には第三電線７８によって伝動軸５１が回転可能に設置され、前記伝動軸５１には下端が外部空間に位置する前記押し板５５が固定的に設置され、前記伝動軸５１の右端には伝動歯車５０が固定的に設置され、前記作業溝１２の上端壁の右側には貯蔵ブロック６９が固定的に設置され、前記貯蔵ブロック６９の中には鉛直溝６８が形成され、前記鉛直溝６８と前記小型ノズル５６とは排酢管５２によって連通され、前記排酢管５２の中には圧力弁６７が設置され、前記鉛直溝６８の上端壁には鉛直ばね７１が固定的に設置され、前記鉛直ばね７１の下端には前記鉛直溝６８とスライド可能に連結された昇降板７０が固定的に設置され、前記昇降板７０の中には前記昇降板７０の上下端面を貫通した小孔７２が設置され、前記鉛直溝６８の下端壁の右側には底部棒７４が固定的に設置され、前記昇降板７０の下端面には下端が前記作業溝１２の中に位置する鉛直棒７３が固定的に設置され、前記鉛直棒７３の下端には前記伝動歯車５０と噛み合ったラック４９が固定的に設置されている。  
【００２０】
好ましくは、前記手部消毒機構８１の上側には警報機構８３が設置され、前記警報機構８３は前記作業溝１２の後端壁に位置する移動溝５４を含み、前記移動溝５４の中には前端が前記作業溝１２の中に位置する移動棒５３がスライド可能に設置され、前記移動棒５３の左端には第四プラグ５９が固定的に設置され、前記作業溝１２の右端壁の中には第二指示灯４８が嵌め込んでおり、前記第四プラグ５９と前記第二指示灯４８とは第四電線４７によって連結され、前記移動棒５３の右端には傾斜棒４６が回転可能に設置され、前記酢溝４１の上端壁の中には貯蔵溝３７が設置され、前記鉄塊４２と前記貯蔵溝３７とは排酢口４０によって連通され、前記貯蔵溝３７の上端壁は酢入れ口３５によって外部空間と連通され、前記酢入れ口３５の中には第二スイッチ３６が設置され、前記貯蔵溝３７の中には第二浮球３８が浮いており、前記第二浮球３８の下端面には下端が前記作業溝１２の中に位置する長棒３９が固定的に設置され、前記長棒３９と前記傾斜棒４６とは回転可能に連結され、前記貯蔵溝３７と前記鉛直溝６８とは傾斜溝４４によって連通されている。
【００２１】
好ましくは、前記第一捻りばね７６は圧縮状態にあり、前記第三電線７８は正常状態にあり、前記圧力ばね１１は正常状態にある。
【００２２】
好ましくは、前記貯蔵溝３７の中には酢があり、前記蒸気溝２９の中には水がない。
【００２３】
好ましくは、前記電磁石４５が通電された後に、磁力を生み出して前記鉄塊４２を吸引する。
【００２４】
装置全体の作動手順は以下の通り：
【００２５】
（１）室内に酢の蒸発消毒を行いたい時に、第一スイッチ２６を入れ、加水溝２７の中に水を入れ、水が蒸気溝２９の中に入り、第一浮球２８は浮力によって浮き上がり、それにより、ロープ２２は緩められ、第一捻りばね７６は復位し、回転軸７５の回転を連動させ、それにより、円形ブロック７７は駆動されて回転する。
【００２６】
（２）蒸気溝２９の中に水が設定数値に達した時に、圧力棒６０は回転溝６２から離脱し、円形ブロック７７の端面に運動し、それにより、圧力棒６０は押されて降下し、薄板１９は圧力棒６０につれて降下し、第一プラグ１６と、第二プラグ１５と、第三プラグ１３とを電源１４に差し込み、第一電線１７の伝導により、第一指示灯１８は通電されて発光し、水量が充分であることを提示し、第三電線７８の伝導により、電磁石４５は通電されて磁力を生み出し、鉄塊４２を吸引し、鉄塊４２に左方へ運動させ、酢溝４１の中の酢を蒸気溝２９の中に送り、希釈された酢を形成させる。
【００２７】
（３）第二電線２０の伝導により、電熱ブロック２１は通電されて熱量を生み、蒸気溝２９の中に希釈された酢を蒸発させ、酢蒸気は円形ノズル３１によって均一に室内に拡散し、消毒を行う。
【００２８】
（４）蒸気溝２９の中に希釈された酢が蒸発する時、圧力棒６０は阻みブロック６３を押し動かし、蒸気溝２９の中の希釈された酢が完全に蒸発されるまで、弧状ブロック６４は駆動されて弧状溝６５から伸び出し、圧力ばね１１が復位し、圧力棒６０は駆動されて阻みブロック６３から離脱して回転溝６２の中に入り、弧状ブロック６４が復位し、第一指示灯１８と、電熱ブロック２１と、電磁石４５との通電状態が解除され、横向きばね４３は鉄塊４２の復位を連動させ、それにより貯蔵溝３７の中の酢を酢溝４１の中に入らせ、補充を行う。
【００２９】
（５）利用者の手部に消毒を行いたい時、押し板５５を後方へ推し、伝動軸５１の回転を連動させ、伝動歯車５０は伝動軸５１につれて回転し、伝動歯車５０とラック４９との噛み合いによって、ラック４９は駆動されて降下し、それにより、昇降板７０は引かれて降下し、底部棒７４は小孔７２を塞ぎ、昇降板７０は下側の酢を排酢管５２から小型ノズル５６の中に送り、酢が小型ノズル５６によって噴出され、利用者の手部を消毒する。
【００３０】
（６）貯蔵溝３７の中の酢を使い切りそうな時に、第二浮球３８は降下し、長棒３９を連動させて降下させ、傾斜棒４６の伝動により、移動棒５３は駆動されて左方へ運動し、第四プラグ５９は移動棒５３につれて運動し、電源１４に差し込まれ、第四電線４７の伝導により、第二指示灯４８は通電されて発光し、酢を入れる必要があることを提示する。
【００３１】
以上に本発明の基本原理、主な特徴と本発明の長所を表明し説明した。本業界の従業者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【図１】
2020195756.tif 000003
【図２】
2020195756.tif 000004
【図３】
2020195756.tif 000005
【図４】
2020195756.tif 000006
【図５】
2020195756.tif 000007
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
正面視で、外殻を含み、前記外殻の中には蒸気溝が形成され、前記蒸気溝の中には室内消毒機構が設置され、前記室内消毒機構は前記外殻の上端面に装着された円形ノズルを含み、前記蒸気溝の下端壁には電熱ブロックが固定的に装着され、前記電熱ブロックが作動することで前記蒸気溝の中に希釈された酢を蒸発させることができ、生み出した蒸気は前記円形ノズルによって均一に外部空間に揮発することができ、それにより、室内消毒の機能を果たし、前記蒸気溝の中には上下スライド可能な第一浮球が設置され、前記蒸気溝の中に水を入れる時に、前記第一浮球は浮力によって浮き上がり、前記蒸気溝の中の水が一定量に達した時に、前記電熱ブロックを作動させることができ、前記蒸気溝の中の水が蒸発して一定量まで減少した時に、前記電熱ブロックを止めることができ、前記蒸気溝の下端壁の中には作業溝が形成され、前記作業溝の左端壁の中には第一指示灯が嵌め込んでおり、前記蒸気溝の中の水が指定量に達した時に、前記第一指示灯は通電され、発光することで提示を行い、 
前記作業溝の上端壁の中には前記蒸気溝の中に定量の酢を入れられる酢入れ機構が設置され、前記酢入れ機構は前記作業溝の上端壁の中にスライド可能に形成された酢溝を含み、前記酢溝の下端壁には電磁石が嵌め込んでおり、前記酢溝の中には鉄塊がスライド可能に設置され、前記蒸気溝の中の水が一定量に達した時に、前記電磁石は通電され、磁力を生み出して前記鉄塊を吸引し、それにより、前記酢溝の中の酢を前記蒸気溝の中に送ることができ、 
前記作業溝の下端壁には外部空間を連通した出口が設置され、前記作業溝の中には手部消毒機構が設置され、前記手部消毒機構は前後回転可能な押し板を含み、前記押し板の左側には前記作業溝の後端壁に装着された小型ノズルが設置され、前記押し板を後方へ推すことで、酢を前記小型ノズルから出して、利用者の手部に消毒を行うことができることを特徴とするインフルエンザの室内予防システム。 
【請求項２】
前記室内消毒機構は前記作業溝の後端壁と固定的に連結された電源も含み、前記電源の上端面には圧力ばねが左右対称に、且つ固定的に設置され、二つの前記圧迫ばねの上側には薄板が一つ固定的に設置され、前記薄板の上端面には圧力棒が固定的に設置され、前記薄板の下端面には第一プラグと、第二プラグと、第三プラグとが固定的に設置され、前記第二プラグは前記第一プラグの右側に位置し、前記第三プラグは前記第二プラグの右側に位置し、前記第一プラグと前記第一指示灯とは第一電線によって連結され、前記第二プラグと前記電熱ブロックとは第二電線によって連結され、前記第三プラグと前記電磁石とは第三電線によって連結され、前記作業溝の後端壁の中には第一捻りばねによって回転軸が回転可能に設置され、前記回転軸にはリールと円形ブロックとが固定的に設置され、
前記円形ブロックは前記リールの前側に位置し、前記リールには第一浮球と連結されたロープが巻装され、前記円形ブロックの中には回転溝と弧状溝が形成され、前記圧力棒の上端は前記回転溝の中にあり、前記弧状溝の下端壁には弧状ばねが固定的に設置され、前記弧状ばねの上端には前記弧状溝とスライド可能に連結された弧状ブロックが固定的に設置され、前記弧状ブロックの左端は前記弧状溝を貫通しており、且つ前記回転溝の中にあり、前記弧状ブロックの上端面には阻みブロックが固定的に設置され、前記蒸気溝と前記円形ノズルとは排気溝によって連通され、前記蒸気溝と外部空間とは加水溝によって連通され、前記加水溝の中には第一スイッチが設置され、前記蒸気溝の左端壁には昇降溝が形成され、前記昇降溝の中には昇降ブロックがスライド可能に設置され、前記昇降ブロックの右端面には昇降棒が固定的に設置され、前記昇降棒の右端と前記第一浮球とは固定的に連結され、前記蒸気溝の中に水が設定数値に達した時に、前記圧力棒は前記回転溝から離脱し 、前記円形ブロックの端面に運動し、それにより、前記圧力棒は押されて降下し、前記薄板は前記圧力棒につれて降下し、前記第一プラグと、前記第二プラグと、前記第三プラグ とを前記電源に差し込むことを特徴とする請求項１に記載のインフルエンザの室内予防システム。 
【請求項３】
前記酢入れ機構は前記鉄塊の右端面と固定的に連結された横向きばねも含み、前記横向きばねの右端と前記酢溝の右端壁とは固定的に連結され、前記酢溝の左側は狭溝によって蒸気溝と連通され、前記狭溝の中には逆止弁が設置されていることを特徴とする請求項１に記載のインフルエンザの室内予防システム。 
【請求項４】
前記手部消毒機構は前記作業溝の後端壁と固定的に連結された支持ブロックを含み、前記支持ブロックの中には第二捻りばねによって伝動軸が回転可能に設置され、前記伝動軸には下端が外部空間に位置する前記押し板が固定的に設置され、前記伝動軸の右端には伝動歯車が固定的に設置され、前記作業溝の上端壁の右側には貯蔵ブロックが固定的に設置され、前記貯蔵ブロックの中には鉛直溝が形成され、前記鉛直溝と前記小型ノズルとは排酢管によって連通され、前記排酢管の中には圧力弁が設置され、前記鉛直溝の上端壁には鉛直ばねが固定的に設置され、前記鉛直ばねの下端には前記鉛直溝とスライド可能に連結された昇降板が固定的に設置され、前記昇降板の中には前記昇降板の上下端面を貫通した小孔が設置され、前記鉛直溝の下端壁の右側には底部棒が固定的に設置され、前記昇降板の下端面には下端が前記作業溝の中に位置する鉛直棒が固定的に設置され、前記鉛直棒の下端には前記伝動歯車と噛み合ったラックが固定的に設置されていることを特徴とする請求項１に記載のインフルエンザの室内予防システム。 
【請求項５】
前記手部消毒機構の上側には警報機構が設置され、前記警報機構は前記作業溝の後端壁に位置する移動溝を含み、前記移動溝の中には前端が前記作業溝の中に位置する移動棒がスライド可能に設置され、前記移動棒の左端には第四プラグが固定的に設置され、前記作業溝の右端壁の中には第二指示灯が嵌め込んでおり、前記第四プラグと前記第二指示灯とは第四電線によって連結され、前記移動棒の右端には傾斜棒が回転可能に設置され、前記酢溝の上端壁の中には貯蔵溝が設置され、前記鉄塊と前記貯蔵溝とは排酢口によって連通され、前記貯蔵溝の上端壁は酢入れ口によって外部空間と連通され、前記酢入れ口の中には第二スイッチが設置され、前記貯蔵溝の中には第二浮球が浮いており、前記第二浮球の下端面には下端が前記作業溝の中に位置する長棒が固定的に設置され、前記長棒と前記傾斜棒とは回転可能に連結され、前記貯蔵溝と前記鉛直溝とは傾斜溝によって連通されていることを特徴とする請求項１に記載のインフルエンザの室内予防システム。 
【請求項６】
前記第一捻りばねは圧縮状態にあり、前記第二捻りばねは正常状態にあり、前記圧力ばねは正常状態にあることを特徴とする請求項２に記載のインフルエンザの室内予防システム。 
【請求項７】
前記貯蔵溝の中には酢があり、前記蒸気溝の中には水がないことを特徴とす請求項５に記載のインフルエンザの室内予防システム。 
【請求項８】
前記電磁石が通電された後に、磁力を生み出して前記鉄塊を吸引することを特徴とする請求項２に記載のインフルエンザの室内予防システム。
【手続補正２】
【補正対象書類名】明細書
【補正対象項目名】全文
【補正方法】変更
【補正の内容】
【発明の詳細な説明】
【技術分野】
【０００１】
本発明はウイルス予防対策分野を取り上げ、具体的にはインフルエンザの室内予防システムである。 
【背景技術】
【０００２】
インフルエンザはウイルスを病原体とする風邪であり、主に空気や手の接触によって伝播する。インフルエンザ予防対策として、酢を蒸発させることは有効的であるが、操作が面倒で、手動で酢の濃度を調節しなくてはならなく、時間がかかる。また、この方法は室内の空気のみに効き、手の接触によるウイルス伝播は防止できない。 
【先行技術文献】
【特許文献】
【０００３】
【特許文献１】中国特許出願公開第１０５５７１０３７号明細書
【発明の概要】
【発明が解決しようとする課題】
【０００４】
本発明はインフルエンザの室内予防システムを提供し、上記の欠点を解消することを目的とする。 
【課題を解決するための手段】
【０００５】
本発明は以下の技術プランで実現する：本発明のインフルエンザの室内予防システムは、外殻を含み、前記外殻の中には蒸気溝が形成され、前記蒸気溝の中には室内消毒機構が設置され、前記室内消毒機構は前記外殻の上端面に装着された円形ノズルを含み、前記蒸気溝の下端壁には電熱ブロックが固定的に装着され、前記電熱ブロックが作動することで前記蒸気溝の中に希釈された酢を蒸発させることができ、生み出した蒸気は前記円形ノズルによって均一に外部空間に揮発することができ、それにより、室内消毒の機能を果たし、前記蒸気溝の中には上下スライド可能な第一浮球が設置され、前記蒸気溝の中に水を入れる時に、前記第一浮球は浮力によって浮き上がり、前記蒸気溝の中の水が一定量に達した時に、前記電熱ブロックを作動させることができ、前記蒸気溝の中の水が蒸発して一定量まで減少した時に、前記電熱ブロックを止めることができ、前記蒸気溝の下端壁の中には作業溝が形成され、前記作業溝の左端壁の中には第一指示灯が嵌め込んでおり、前記蒸気溝の中の水が指定量に達した時に、前記第一指示灯は通電され、発光することで提示を行い、
前記作業溝の上端壁の中には前記蒸気溝の中に定量の酢を入れられる酢入れ機構が設置され、前記酢入れ機構は前記作業溝の上端壁の中にスライド可能に形成された酢溝を含み、前記酢溝の下端壁には電磁石が嵌め込んでおり、前記酢溝の中には鉄塊がスライド可能に設置され、前記蒸気溝の中の水が一定量に達した時に、前記電磁石は通電され、磁力を生み出して前記鉄塊を吸引し、それにより、前記酢溝の中の酢を前記蒸気溝の中に送ることができ、 
前記作業溝の下端壁には外部空間を連通した出口が設置され、前記作業溝の中には手部消毒機構が設置され、前記手部消毒機構は前後回転可能な押し板を含み、前記押し板の左側には前記作業溝の後端壁に装着された小型ノズルが設置され、前記押し板を後方へ推すことで、酢を前記小型ノズルから出して、利用者の手部に消毒を行うことができる。 
【０００６】
好ましくは、前記室内消毒機構は前記作業溝の後端壁と固定的に連結された電源も含み、前記電源の上端面には圧力ばねが左右対称に、且つ固定的に設置され、二つの前記圧迫ばねの上側には薄板が一つ固定的に設置され、前記薄板の上端面には圧力棒が固定的に設置され、前記薄板の下端面には第一プラグと、第二プラグと、第三プラグとが固定的に設置され、前記第二プラグは前記第一プラグの右側に位置し、前記第三プラグは前記第二プラグの右側に位置し、前記第一プラグと前記第一指示灯とは第一電線によって連結され、前記第二プラグと前記電熱ブロックとは第二電線によって連結され、前記第三プラグと前記電磁石とは第三電線によって連結され、前記作業溝の後端壁の中には第一捻りばねによって回転軸が回転可能に設置され、前記回転軸にはリールと円形ブロックとが固定的に設置され、 
前記円形ブロックは前記リールの前側に位置し、前記リールには第一浮球と連結されたロープが巻装され、前記円形ブロックの中には回転溝と弧状溝が形成され、前記圧力棒の上端は前記回転溝の中にあり、前記弧状溝の下端壁には弧状ばねが固定的に設置され、前記弧状ばねの上端には前記弧状溝とスライド可能に連結された弧状ブロックが固定的に設置され、前記弧状ブロックの左端は前記弧状溝を貫通しており、且つ前記回転溝の中にあり、前記弧状ブロックの上端面には阻みブロックが固定的に設置され、前記蒸気溝と前記円形ノズルとは排気溝によって連通され、前記蒸気溝と外部空間とは加水溝によって連通され、前記加水溝の中には第一スイッチが設置され、前記蒸気溝の左端壁には昇降溝が形成され、前記昇降溝の中には昇降ブロックがスライド可能に設置され、前記昇降ブロックの右端面には昇降棒が固定的に設置され、前記昇降棒の右端と前記第一浮球とは固定的に連結されている。 
【０００７】
好ましくは、前記酢入れ機構は前記鉄塊の右端面と固定的に連結された横向きばねも含み、前記横向きばねの右端と前記酢溝の右端壁とは固定的に連結され、前記酢溝の左側は狭溝によって蒸気溝と連通され、前記狭溝の中には逆止弁が設置されている。 
【０００８】
好ましくは、前記手部消毒機構は前記作業溝の後端壁と固定的に連結された支持ブロックを含み、前記支持ブロックの中には第二捻りばねによって伝動軸が回転可能に設置され、前記伝動軸には下端が外部空間に位置する前記押し板が固定的に設置され、前記伝動軸の右端には伝動歯車が固定的に設置され、前記作業溝の上端壁の右側には貯蔵ブロックが固定的に設置され、前記貯蔵ブロックの中には鉛直溝が形成され、前記鉛直溝と前記小型ノズルとは排酢管によって連通され、前記排酢管の中には圧力弁が設置され、前記鉛直溝の上端壁には鉛直ばねが固定的に設置され、前記鉛直ばねの下端には前記鉛直溝とスライド可能に連結された昇降板が固定的に設置され、前記昇降板の中には前記昇降板の上下端面を貫通した小孔が設置され、前記鉛直溝の下端壁の右側には底部棒が固定的に設置され、前記昇降板の下端面には下端が前記作業溝の中に位置する鉛直棒が固定的に設置され、前記鉛直棒の下端には前記伝動歯車と噛み合ったラックが固定的に設置されている。 
【０００９】
好ましくは、前記手部消毒機構の上側には警報機構が設置され、前記警報機構は前記作業溝の後端壁に位置する移動溝を含み、前記移動溝の中には前端が前記作業溝の中に位置する移動棒がスライド可能に設置され、前記移動棒の左端には第四プラグが固定的に設置され、前記作業溝の右端壁の中には第二指示灯が嵌め込んでおり、前記第四プラグと前記第二指示灯とは第四電線によって連結され、前記移動棒の右端には傾斜棒が回転可能に設置され、前記酢溝の上端壁の中には貯蔵溝が設置され、前記鉄塊と前記貯蔵溝とは排酢口によって連通され、前記貯蔵溝の上端壁は酢入れ口によって外部空間と連通され、前記酢入れ口の中には第二スイッチが設置され、前記貯蔵溝の中には第二浮球が浮いており、前記第二浮球の下端面には下端が前記作業溝の中に位置する長棒が固定的に設置され、前記長棒と前記傾斜棒とは回転可能に連結され、前記貯蔵溝と前記鉛直溝とは傾斜溝によって連通されている。 
【００１０】
好ましくは、前記第一捻りばねは圧縮状態にあり、前記第二捻りばねは正常状態にあり、前記圧力ばねは正常状態にある。 
【００１１】
好ましくは、前記貯蔵溝の中には酢があり、前記蒸気溝の中には水がない。 
【００１２】
好ましくは、前記電磁石が通電された後に、磁力を生み出して前記鉄塊を吸引する。 
【発明の効果】
【００１３】
本発明は以下のプラン効果を有する：本装置は簡単に移動でき、必要な時に室内に定量に酢消毒を行え、室内のウイルスの活性を消し、室内でインフルエンザを感染する確率を下げ、また、利用者は必要な時に手部に消毒を行え、ウイルスと接触することによって人体を侵害することを避け、さらに、酢の蒸発消毒作業において、自動的に酢の濃度を調整でき、人為的に調整する必要はなく、簡単に操作でき、酢を使い切った時に、自動的に提示することもできる。 
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１５】
【図１】図１は本発明であるインフルエンザの室内予防システムの全体断面の正面構成略図
【図２】図２は図１におけるＡの拡大略図
【図３】図３は図１におけるＤの拡大略図
【図４】図４は図１におけるＣ―Ｃ方向からの略図
【図５】図５は図２におけるＢ―Ｂ方向からの略図
【発明を実施するための形態】
【００１６】
附図１〜５を合わせて、本発明のインフルエンザの室内予防システムは、外殻１０を含み、前記外殻１０の中には蒸気溝２９が形成され、前記蒸気溝２９の中には室内消毒機構８０が設置され、前記室内消毒機構８０は前記外殻１０の上端面に装着された円形ノズル３１を含み、前記蒸気溝２９の下端壁には電熱ブロック２１が固定的に装着され、前記電熱ブロック２１が作動することで前記蒸気溝２９の中に希釈された酢を蒸発させることができ、生み出した蒸気は前記円形ノズル３１によって均一に外部空間に揮発することができ、それにより、室内消毒の機能を果たし、前記蒸気溝２９の中には上下スライド可能な第一浮球２８が設置され、前記蒸気溝２９の中に水を入れる時に、前記第一浮球２８は浮力によって浮き上がり、前記蒸気溝２９の中の水が一定量に達した時に、前記電熱ブロック２１を作動させることができ、前記蒸気溝２９の中の水が蒸発して一定量まで減少した時に、前記電熱ブロック２１を止めることができ、前記蒸気溝２９の下端壁の中には作業溝１２が形成され、前記作業溝１２の左端壁の中には第一指示灯１８が嵌め込んでおり、前記蒸気溝２９の中の水が指定量に達した時に、前記第一指示灯１８は通電され、発光することで提示を行い、 
前記作業溝１２の上端壁の中には前記蒸気溝２９の中に定量の酢を入れられる酢入れ機構８２が設置され、前記酢入れ機構８２は前記作業溝１２の上端壁の中にスライド可能に形成された酢溝４１を含み、前記酢溝４１の下端壁には電磁石４５が嵌め込んでおり、前記酢溝４１の中には鉄塊４２がスライド可能に設置され、前記蒸気溝２９の中の水が一定量に達した時に、前記電磁石４５は通電され、磁力を生み出して前記鉄塊４２を吸引し、それにより、前記酢溝４１の中の酢を前記蒸気溝２９の中に送ることができ、 
前記作業溝１２の下端壁には外部空間を連通した出口５８が設置され、前記作業溝１２の中には手部消毒機構８１が設置され、前記手部消毒機構８１は前後回転可能な押し板５５を含み、前記押し板５５の左側には前記作業溝１２の後端壁に装着された小型ノズル５６が設置され、前記押し板５５を後方へ推すことで、酢を前記小型ノズル５６から出して、利用者の手部に消毒を行うことができる。 
【００１７】
下記に、前記室内消毒機構８０を詳しく説明し、前記室内消毒機構８０は前記作業溝１２の後端壁と固定的に連結された電源１４も含み、前記電源１４の上端面には圧力ばね１１が左右対称に、且つ固定的に設置され、二つの前記圧迫ばね１１の上側には薄板１９が一つ固定的に設置され、前記薄板１９の上端面には圧力棒６０が固定的に設置され、前記薄板１９の下端面には第一プラグ１６と、第二プラグ１５と、第三プラグ１３とが固定的に設置され、前記第二プラグ１５は前記第一プラグ１６の右側に位置し、前記第三プラグ１３は前記第二プラグ１５の右側に位置し、前記第一プラグ１６と前記第一指示灯１８とは第一電線１７によって連結され、前記第二プラグ１５と前記電熱ブロック２１とは第二電線２０によって連結され、前記第三プラグ１３と前記電磁石４５とは第三電線７８によって連結され、前記作業溝１２の後端壁の中には第一捻りばね７６によって回転軸７５が回転可能に設置され、前記回転軸７５にはリール６１と円形ブロック７７とが固定的に設置され、前記円形ブロック７７は前記リール６１の前側に位置し、前記リール６１には第一浮球２８と連結されたロープ２２が巻装され、前記円形ブロック７７の中には回転溝６２と弧状溝６５が形成され、前記圧力棒６０の上端は前記回転溝６２の中にあり、前記弧状溝６５の下端壁には弧状ばね６６が固定的に設置され、前記弧状ばね６６の上端には前記弧状溝６５とスライド可能に連結された弧状ブロック６４が固定的に設置され、前記弧状ブロック６４の左端は前記弧状溝６５を貫通しており、且つ前記回転溝６２の中にあり、前記弧状ブロック６４の上端面には阻みブロック６３が固定的に設置され、前記蒸気溝２９と前記円形ノズル３１とは排気溝３０によって連通され、前記蒸気溝２９と外部空間とは加水溝２７によって連通され、前記加水溝２７の中には第一スイッチ２６が設置され、前記蒸気溝２９の左端壁には昇降溝２５が形成され、前記昇降溝２５の中には昇降ブロック２４がスライド可能に設置され、前記昇降ブロック２４の右端面には昇降棒２３が固定的に設置され、前記昇降棒２３の右端と前記第一浮球２８とは固定的に連結されている。 
【００１８】
下記に、前記酢入れ機構８２を詳しく説明し、前記酢入れ機構８２は前記鉄塊４２の右端面と固定的に連結された横向きばね４３も含み、前記横向きばね４３の右端と前記酢溝４１の右端壁とは固定的に連結され、前記酢溝４１の左側は狭溝３３によって蒸気溝２９と連通され、前記狭溝３３の中には逆止弁３２が設置されている。 
【００１９】
下記に、前記手部消毒機構８１を詳しく説明し、前記手部消毒機構８１は前記作業溝１２の後端壁と固定的に連結された支持ブロック５７を含み、前記支持ブロック５７の中には第二捻りばね８７によって伝動軸５１が回転可能に設置され、前記伝動軸５１には下端が外部空間に位置する前記押し板５５が固定的に設置され、前記伝動軸５１の右端には伝動歯車５０が固定的に設置され、前記作業溝１２の上端壁の右側には貯蔵ブロック６９が固定的に設置され、前記貯蔵ブロック６９の中には鉛直溝６８が形成され、前記鉛直溝６８と前記小型ノズル５６とは排酢管５２によって連通され、前記排酢管５２の中には圧力弁６７が設置され、前記鉛直溝６８の上端壁には鉛直ばね７１が固定的に設置され、前記鉛直ばね７１の下端には前記鉛直溝６８とスライド可能に連結された昇降板７０が固定的に設置され、前記昇降板７０の中には前記昇降板７０の上下端面を貫通した小孔７２が設置され、前記鉛直溝６８の下端壁の右側には底部棒７４が固定的に設置され、前記昇降板７０の下端面には下端が前記作業溝１２の中に位置する鉛直棒７３が固定的に設置され、前記鉛直棒７３の下端には前記伝動歯車５０と噛み合ったラック４９が固定的に設置されている。
【００２０】
好ましくは、前記手部消毒機構８１の上側には警報機構８３が設置され、前記警報機構８３は前記作業溝１２の後端壁に位置する移動溝５４を含み、前記移動溝５４の中には前端が前記作業溝１２の中に位置する移動棒５３がスライド可能に設置され、前記移動棒５３の左端には第四プラグ５９が固定的に設置され、前記作業溝１２の右端壁の中には第二指示灯４８が嵌め込んでおり、前記第四プラグ５９と前記第二指示灯４８とは第四電線４７によって連結され、前記移動棒５３の右端には傾斜棒４６が回転可能に設置され、前記酢溝４１の上端壁の中には貯蔵溝３７が設置され、前記鉄塊４２と前記貯蔵溝３７とは排酢口４０によって連通され、前記貯蔵溝３７の上端壁は酢入れ口３５によって外部空間と連通され、前記酢入れ口３５の中には第二スイッチ３６が設置され、前記貯蔵溝３７の中には第二浮球３８が浮いており、前記第二浮球３８の下端面には下端が前記作業溝１２の中に位置する長棒３９が固定的に設置され、前記長棒３９と前記傾斜棒４６とは回転可能に連結され、前記貯蔵溝３７と前記鉛直溝６８とは傾斜溝４４によって連通されている。 
【００２１】
好ましくは、前記第一捻りばね７６は圧縮状態にあり、前記第二捻りばね８７は正常状態にあり、前記圧力ばね１１は正常状態にある。 
【００２２】
好ましくは、前記貯蔵溝３７の中には酢があり、前記蒸気溝２９の中には水がない。 
【００２３】
好ましくは、前記電磁石４５が通電された後に、磁力を生み出して前記鉄塊４２を吸引す 
る。
【００２４】
装置全体の作動手順は以下の通り： 
【００２５】
（１）室内に酢の蒸発消毒を行いたい時に、第一スイッチ２６を入れ、加水溝２７の中に水を入れ、水が蒸気溝２９の中に入り、第一浮球２８は浮力によって浮き上がり、それにより、ロープ２２は緩められ、第一捻りばね７６は復位し、回転軸７５の回転を連動させ、それにより、円形ブロック７７は駆動されて回転する。 
【００２６】
（２）蒸気溝２９の中に水が設定数値に達した時に、圧力棒６０は回転溝６２から離脱し、円形ブロック７７の端面に運動し、それにより、圧力棒６０は押されて降下し、薄板１９は圧力棒６０につれて降下し、第一プラグ１６と、第二プラグ１５と、第三プラグ１３とを電源１４に差し込み、第一電線１７の伝導により、第一指示灯１８は通電されて発光し、水量が充分であることを提示し、第三電線７８の伝導により、電磁石４５は通電されて磁力を生み出し、鉄塊４２を吸引し、鉄塊４２に左方へ運動させ、酢溝４１の中の酢を蒸気溝２９の中に送り、希釈された酢を形成させる。 
【００２７】
（３）第二電線２０の伝導により、電熱ブロック２１は通電されて熱量を生み、蒸気溝２９の中に希釈された酢を蒸発させ、酢蒸気は円形ノズル３１によって均一に室内に拡散し、消毒を行う。 
【００２８】
（４）蒸気溝２９の中に希釈された酢が蒸発する時、圧力棒６０は阻みブロック６３を押し動かし、蒸気溝２９の中の希釈された酢が完全に蒸発されるまで、弧状ブロック６４は駆動されて弧状溝６５から伸び出し、圧力ばね１１が復位し、圧力棒６０は駆動されて阻みブロック６３から離脱して回転溝６２の中に入り、弧状ブロック６４が復位し、第一指示灯１８と、電熱ブロック２１と、電磁石４５との通電状態が解除され、横向きばね４３は鉄塊４２の復位を連動させ、それにより貯蔵溝３７の中の酢を酢溝４１の中に入らせ、補充を行う。 
【００２９】
（５）利用者の手部に消毒を行いたい時、押し板５５を後方へ推し、伝動軸５１の回転を連動させ、伝動歯車５０は伝動軸５１につれて回転し、伝動歯車５０とラック４９との噛み合いによって、ラック４９は駆動されて降下し、それにより、昇降板７０は引かれて降下し、底部棒７４は小孔７２を塞ぎ、昇降板７０は下側の酢を排酢管５２から小型ノズル５６の中に送り、酢が小型ノズル５６によって噴出され、利用者の手部を消毒する。 
【００３０】
（６）貯蔵溝３７の中の酢を使い切りそうな時に、第二浮球３８は降下し、長棒３９を連動させて降下させ、傾斜棒４６の伝動により、移動棒５３は駆動されて左方へ運動し、第四プラグ５９は移動棒５３につれて運動し、電源１４に差し込まれ、第四電線４７の伝導により、第二指示灯４８は通電されて発光し、酢を入れる必要があることを提示する。 
【００３１】
以上に本発明の基本原理、主な特徴と本発明の長所を表明し説明した。本業界の従業者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の 
権利要求書と同等内容に画定される。
【手続補正３】
【補正対象書類名】図面
【補正対象項目名】図４
【補正方法】変更
【補正の内容】
【図４】
2020195756.tif 000008